(57)【要約】【課題】容易にメンテナンスを行うことができる電動スクリーン装置および電動ユニットを提供する。【解決手段】設置対象物２に支持固定されるケース体３と、ケース体に収容され、軸中心に回転することで繰り出し／巻き取り可能に構成されたスクリーン４と、スクリーンの軸方向端部に設けられ、軸を電動で回転駆動させる電動ユニット５と、を備え、電動ユニットが、ケース体およびスクリーンに対して着脱自在に設けられている。【選択図】図１
2020156869.tif 000002
【特許請求の範囲】
【請求項１】
設置対象物に支持固定されるケース体と、
該ケース体に収容され、軸中心に回転することで繰り出し／巻き取り可能に構成されたスクリーンと、
該スクリーンの軸方向端部に設けられ、前記軸を電動で回転駆動させる電動ユニットと、を備え、
前記電動ユニットが、前記ケース体および前記スクリーンに対して着脱自在に設けられていることを特徴とする電動スクリーン装置。
【請求項２】
前記電動ユニットは、
前記軸に嵌合可能な軸嵌合部材と、
該軸嵌合部材を回転駆動させる駆動部と、
該駆動部に電力を供給する電源部と、
前記駆動部を制御する制御部と、
前記軸嵌合部材、前記駆動部、前記電源部、および前記制御部を収容するカバー部材と、を備えている請求項１に記載の電動スクリーン装置。
【請求項３】
前記電源部は、電池で構成されている請求項２に記載の電動スクリーン装置。
【請求項４】
前記電動ユニットには、前記ケース体に対して係合可能な係合爪が形成されている請求項１〜請求項３のいずれか一項に記載の電動スクリーン装置。
【請求項５】
軸中心に回転することで繰り出し／巻き取り可能に構成されたスクリーンを電動で回転駆動させる電動ユニットであって、
前記軸に嵌合可能な軸嵌合部材と、
該軸嵌合部材を回転駆動させる駆動部と、
該駆動部に電力を供給する電源部と、
前記駆動部を制御する制御部と、
前記軸嵌合部材、前記駆動部、前記電源部、および前記制御部を収容するカバー部材と、を備えていることを特徴とする電動ユニット。
【発明の詳細な説明】
【技術分野】
【０００１】
本発明は、電動スクリーン装置および電動ユニットに関する。
【背景技術】
【０００２】
従来、建物の外壁に形成された採光部（開口部）に設けられるスクリーン装置が知られている。スクリーン装置のスクリーンを引き出すことにより日除けなどの効果が得られる。これまで、スクリーンを引き出す際には手動で操作するものが多かったが、近年では電動でスクリーンを繰り出し／巻き取りすることができるものが提案されている（例えば、特許文献１参照）。
【先行技術文献】
【特許文献】
【０００３】
【特許文献１】特開２００６-１７７１３１号公報
【発明の概要】
【発明が解決しようとする課題】
【０００４】
しかしながら、特許文献１のスクリーン装置は、電動機が取付用ブラケットと一体になっているため、例えば、電動機が故障した場合は、取付用ブラケットごと（装置全体）交換することになり、メンテナンスが困難であった。
【０００５】
そこで、本発明は、上記事情を鑑みてなされたものであり、容易にメンテナンスを行うことができる電動スクリーン装置および電動ユニットを提供することを目的とする。
【課題を解決するための手段】
【０００６】
本発明に係る電動スクリーン装置は、設置対象物に支持固定されるケース体と、該ケース体に収容され、軸中心に回転することで繰り出し／巻き取り可能に構成されたスクリーンと、該スクリーンの軸方向端部に設けられ、前記軸を電動で回転駆動させる電動ユニットと、を備え、前記電動ユニットが、前記ケース体および前記スクリーンに対して着脱自在に設けられていることを特徴としている。
【０００７】
この発明によれば、電動ユニットがケース体およびスクリーンに対して着脱自在に構成されているため、電動ユニットが故障したとしても電動ユニットだけ取り外すことができる。したがって、容易にメンテナンスを行うことができる。
【０００８】
また、本発明に係る電動スクリーン装置は、前記電動ユニットが、前記軸に嵌合可能な軸嵌合部材と、該軸嵌合部材を回転駆動させる駆動部と、該駆動部に電力を供給する電源部と、前記駆動部を制御する制御部と、前記軸嵌合部材、前記駆動部、前記電源部、および前記制御部を収容するカバー部材と、を備えていてもよい。
【０００９】
この発明によれば、電動ユニットが軸嵌合部材、駆動部、電源部、および制御部をカバー部材の中に収容したユニット部材として構成されているため、取り扱いが容易である。
【００１０】
また、本発明に係る電動スクリーン装置は、前記電源部が、電池で構成されていてもよい。
【００１１】
この発明によれば、電源を電池で構成しているため、配線工事などの電気工事が不要となり、スクリーン装置自体の設置工事やメンテナンスを簡易に行うことができる。
【００１２】
また、本発明に係る電動スクリーン装置は、前記電動ユニットには、前記ケース体に対して係合可能な係合爪が形成されていてもよい。
【００１３】
この発明によれば、電動ユニットをケース体に対して係合させるだけで着脱できるため、交換作業などを容易に行うことができる。
【００１４】
さらに、本発明に係る電動ユニットは、軸中心に回転することで繰り出し／巻き取り可能に構成されたスクリーンを電動で回転駆動させる電動ユニットであって、前記軸に嵌合可能な軸嵌合部材と、該軸嵌合部材を回転駆動させる駆動部と、該駆動部に電力を供給する電源部と、前記駆動部を制御する制御部と、前記軸嵌合部材、前記駆動部、前記電源部、および前記制御部を収容するカバー部材と、を備えていることを特徴としている。
【００１５】
この発明によれば、電動ユニットが軸嵌合部材、駆動部、電源部、および制御部をカバー部材の中に収容したユニット部材として構成されているため、取り扱いが容易である。また、既設の手動スクリーン装置を電動化したい場合、手動スクリーン装置の軸方向端部に配設されているサイドカバーを取り外して、電動ユニットに交換するだけで電動スクリーン装置に更新することができる。
【発明の効果】
【００１６】
本発明は、容易にメンテナンスを行うことができる電動スクリーン装置および電動ユニットを提供することができる。
【図面の簡単な説明】
【００１７】
【図１】本発明の一実施形態に係る電動スクリーン装置の斜視図である。
【図２】本発明の一実施形態に係るケース体の斜視図である。
【図３】本発明の一実施形態に係るスクリーンの斜視図である。
【図４】本発明の一実施形態に係る電動ユニットの斜視図である。
【図５】本発明の一実施形態に係る電動ユニットの斜視図であり、外側部材を外した状態の図である。
【図６】本発明の一実施形態に係る駆動部の斜視図である。
【図７】本発明の一実施形態に係る保持部材の斜視図である。
【図８】本発明の一実施形態に係る電動スクリーン装置の設置作業中の状態を示す斜視図であり、電動スクリーン装置にスクリーン保持部材を取り付ける前の状態を示した図である。
【図９】本発明の一実施形態に係る電動スクリーン装置の設置作業中の状態を示す断面図であり、電動スクリーン装置にスクリーン保持部材を取り付けた状態を示した図である。
【図１０】本発明の一実施形態に係るスクリーン保持部材の変形例を示す図である。
【図１１】手動スクリーン装置の斜視図である。
【発明を実施するための形態】
【００１８】
以下、本発明の一実施形態に係る電動スクリーン装置および電動ユニットについて説明する。図１は、電動スクリーン装置の斜視図である。
【００１９】
図１に示すように、本実施形態に電動スクリーン装置１は、建物の壁面（設置対象物）２に支持固定されるケース体３と、該ケース体３に収容され、軸中心に回転することで繰り出し／巻き取り可能に構成されたスクリーン４と、該スクリーン４の軸方向一端部に設けられ、前記軸を電動で回転駆動させる電動ユニット５と、スクリーン４の軸方向他端部に設けられるサイドカバー６と、を備えている。
【００２０】
図２に示すように、ケース体３は、金属製の板状部材を折り曲げて形成されている。ケース体３は、壁面２に直接支持固定される板状のベース部１１と、該ベース部１１の上端に連結されスクリーン４の上方および前方を覆うように形成された傘部１２と、を備えている。ベース部１１と傘部１２とは一体で形成されている。また、ケース体３には、電動ユニット５およびサイドカバー６と連結するためにビスなどの固定具を螺合するビス孔１３が形成されている。
【００２１】
図３に示すように、スクリーン４は、棒状の軸部材１５と、該軸部材１５に巻回されたシート材１６と、を備えている。軸部材１５の軸方向一端部には、後述する軸嵌合部材２１が嵌合可能な孔部１７が形成されている。本実施形態では、孔部１７は軸部材１５の軸方向全長に亘って断面六角形の貫通孔として形成されている。なお、孔部１７は軸部材１５の全長に形成されていなくてもよく、端部から凹状に形成された凹陥部であってもよい。軸部材１５の軸方向他端部は、後述するサイドカバー６に設けられた回転部材（不図示）が嵌合可能に構成されている。
【００２２】
また、シート材１６の繰り出し方向の先端側には案内部材１８が設けられている。案内部材１８は、四角柱状に形成された棒状部材であり、シート材１６の幅方向全長よりも若干長く形成されている。案内部材１８は、シート材１６の錘の役割を有しており、シート材１６の繰り出し／巻き取り中、およびシート材１６を繰り出して使用している際に、シート材１６が風に煽られないようになっている。また、案内部材１８の両端部は、シート材１６を最下端まで繰り出した際に、シート材１６を保持する保持部材７（図１参照）内に挿入配置可能に構成されている。
【００２３】
図１、図４、図５に示すように、電動ユニット５は、スクリーン４の軸方向一端部側に配設されている。電動ユニット５は、軸部材１５の軸方向一端部と嵌合可能な軸嵌合部材２１と、該軸嵌合部材２１を回転駆動させる駆動部２２と、該駆動部２２に電力を供給する電源部（不図示）と、軸嵌合部材２１、駆動部２２、および電源部を収容するカバー部材２４と、を備えている。電動ユニット５は、ケース体３およびスクリーン４に対して着脱自在に取り付けられている。
【００２４】
軸嵌合部材２１は、例えば、六角柱状に形成されており、嵌合部２６と連結部２７とを備えている。スクリーン４の軸部材１５の軸方向一端部には、軸嵌合部材２１の嵌合部２６が嵌合可能な六角形状の孔部１７が形成されている。この孔部１７に軸嵌合部材２１を挿入配置することで、孔部１７に軸嵌合部材２１が嵌合され、当該軸嵌合部材２１が軸中心に回転することにより、スクリーン４を軸中心に回転させることができる。つまり、軸嵌合部材２１の外周面が嵌合部２６として構成されている。
【００２５】
また、軸嵌合部材２１には軸中心に貫通孔が形成されている。当該貫通孔に後述する駆動部２２の回転軸部２９が挿入配置でき、回転軸部２９とともに軸嵌合部材２１が軸中心に回転可能に構成されている。つまり、軸嵌合部材２１の貫通孔が連結部２７として構成されている。
【００２６】
図６に示すように、駆動部２２は、軸嵌合部材２１を回転させる機能を有しており、モーターなどで構成されている。駆動部２２の回転軸部２９と、軸嵌合部材２１の連結部２７と、が連結されており、回転軸部２９が回転することにより軸嵌合部材２１も軸中心に回転するように構成されている。駆動部２２は、正逆回転可能に構成されており、スクリーン４のシート材１６を繰り出し／巻き取り可能に構成されている。なお、本実施形態では、軸嵌合部材２１の貫通部（連結部２７）内に段差などの係止部（不図示）が形成され、回転軸部２９の先端に当該段差に係止する被係止部３０が形成されている。このように構成することにより、回転軸部２９と軸嵌合部材２１とを一体で回転させることができる。
【００２７】
図４、図５に示すように、カバー部材２４は、軸嵌合部材２１、駆動部２２、および電源部を支持・収容するものであり、ケース体３およびスクリーン４の軸方向一端部側に着脱自在に配設されている。カバー体２４は、駆動部２２などが取り付けられる内側部材３２と、該内側部材３２を外側から覆うように構成された外側部材３３と、を備えている。
【００２８】
内側部材３２は、略板状の部材で構成されており、ケース体３と略同一の外形形状で形成されている。内側部材３２におけるケース体３およびスクリーン４を向いた面３２ａには、ケース体３に係合される係合片３５と、スクリーン４のシート材１６を所望の位置から下方へ案内する案内片３６と、が突出形成されている。また、内側部材３２の正面視略中央には、駆動部２２を挿通配置するための貫通孔３７が形成されている。駆動部２２と内側部材３２とは、連結部材３９を介して連結されている。連結部材３９は、駆動部２２の回転軸部２９を挿通可能な貫通孔４０が形成されており、貫通孔４０に回転軸部２９を挿通した状態でビスなどの固定具を用いて支持固定されている。連結部材３９の周縁には、ビスなどの固定具を挿通可能な貫通孔が形成された固定片４１が複数設けられている。当該固定片４１を内側部材３２の面３２ａに当接し、ビスなどの固定具を用いて連結部材３９を内側部材３２に支持固定している。
【００２９】
内側部材３２の面３２ａとは反対側の面３２ｂには、周縁部全長に亘ってフランジ片４３が突出形成されている。フランジ片４３の内周側には、ケース体３のビス孔１３に対向した位置に凹陥部４４が形成されている。つまり、ケース体３の一端部側に内側部材３２を配置した状態で、ビスなどの固定具を凹陥部４４からビス孔１３に挿入・螺合することにより内側部材３２をケース体３に固定することができる。内側部材３２の面３２ｂには駆動部２２の本体部３１が配置されている。
【００３０】
外側部材３３は、内側部材３２を外側から覆うように有底筒状に形成されており、内側部材３２のフランジ片４３に係合させることで内側部材３２と外側部材３３とを連結固定することができる。なお、内側部材３２と外側部材３３とは、ビスなどの固定具で連結固定してもよい。内側部材３２と外側部材３３との間には空間部４５が形成されている。空間部４５には駆動部２２の本体部３１が配置されている。また、空間部４５には電池などの電源部（不図示）および制御部（不図示）が配置されている。したがって、内側部材３２と外側部材３３とは、水密に連結固定されることが望ましい。例えば、内側部材３２のフランジ片４３と外側部材３３との隙間にゴム製のパッキンを配設するとよい。
【００３１】
電源部は、駆動部２２に電気を供給するためのものであり、本実施形態では電池で構成されている。電源部と駆動部２２とは電気的に接続されており、電源部から駆動部２２に電気を供給することにより、駆動部２２が動作し（回転軸部２９が回転駆動し）、スクリーン４のシート材１６を繰り出し／巻き取りできるように構成されている。
【００３２】
なお、電源部および制御部は、電動ユニット５と別体で構成されていてもよい。例えば、電源部および制御部と、電動ユニット５とをコネクタで接続するように構成し、配線を延長して電池交換しやすい位置に電源部および制御部を配置する構成としてもよい。
【００３３】
図１に示すように、ケース体３およびスクリーン４の軸方向他端部側には、サイドカバー６が配設されている。サイドカバー６はケース体３に対して着脱可能に支持固定されている。サイドカバー６におけるスクリーン４の軸部材１５に対向した位置には、回転部材（不図示）が設けられている。回転部材は軸部材１５の軸方向他端部と嵌合可能な形状で形成されている。回転部材は、サイドカバー６の本体部４７に対しても回転自在に連結されている。
【００３４】
図１、図７に示すように、サッシなどの開口部（採光部）９の下端近傍に、スクリーン４の案内部材１８を保持する保持部材７が配設されている。保持部材７は、略直方体形状の部材で、上面７ａから案内部材１８の端部が挿入・排出できる凹陥部４９が形成されている。凹陥部４９は、上面７ａから下方に向かって所定範囲が挿入部５０として構成され、挿入部５０の下方の領域が保持部５１として構成されている。
【００３５】
挿入部５０は、保持部材７の上面７ａに形成された開口部５３から下方に向かうにしたがって開口面積が小さくなる方向に傾斜するテーパ面を有している。挿入部５０の最下端の幅Ｗ１は、案内部材１８が挿通可能な大きさで形成されている。
【００３６】
保持部５１は、挿入部５０の下方に形成された領域である。保持部５１の幅Ｗ２は、挿入部５０の幅Ｗ１よりも大きく形成されている。つまり、挿入部５０と保持部５１との間には段差部５２が形成されている。スクリーン４の案内部材１８が保持部５１内に保持されている際に、風などでシート材１６が煽られても段差部５２に案内部材１８が引っ掛かって保持部材７から外れないように構成されている。
【００３７】
電動スクリーン装置１は、リモコンなどで操作（繰り出し／巻き取り）可能に構成されている。リモコンは、電動ユニット５と有線で接続してもよいし、無線で通信できるように構成してもよい。施工性を考慮すると無線で通信できるようにするのが好ましい。また、リモコンの代わりとしてスマートフォンのアプリなどで操作できるように構成してもよい。
【００３８】
次に、上述したように構成された電動スクリーン装置１の設置方法やメンテナンス方法について説明する。
【００３９】
まず、電動スクリーン装置１の壁面２への設置方法について説明する。
【００４０】
電動スクリーン装置１を壁面２へ取り付ける際は、まずケース体３を壁面２の所定位置（開口部９の上方）に支持固定する。具体的には、ケース体３のベース部１１を壁面２に固定する。続いて、ケース体３の軸方向他端部側にサイドカバー６を取り付ける。続いて、サイドカバー６の回転部材にスクリーン４の軸部材１５の軸方向他端部を嵌合する。続いて、スクリーン４を保持しながら、電動ユニット５の軸嵌合部材２１をスクリーン４の軸部材１５の軸方向一端側に嵌合しながら、電動ユニット５をケース体３に支持固定する。
【００４１】
ここで、スクリーン４を保持する際は、作業者が手で持って保持することでもよいが、スクリーン保持部材５５を用いて保持してもよい。図８、図９に示すように、スクリーン保持部材５５は、スクリーン４の下方においてケース体３の下方に開口された開口部１４を閉塞するように構成された板状部材である。
【００４２】
スクリーン保持部材５５は、平板状の部材を折り曲げて形成されており、底面をなす底板部５７と、底板部５７の前後方向において該底板部５７から折り曲げられて上方に立ち上がる前方立ち上がり片５８および後方立ち上がり片５９と、前方立ち上がり片５８から折り曲げられて略水平方向に延びる前方フランジ片６０と、後方立ち上がり片５９から折り曲げられて略水平方向に延びる後方フランジ片６１と、を有している。ケース体３の前方および後方の下端にそれぞれ形成されたビス孔１３に前方フランジ片６０および後方フランジ片６１が係合可能に構成されている。
【００４３】
また、底板部５７の両端部近傍には、該底板部５７から上方に立ち上がるように支持部材６２が設けられている。支持部材６２は、底板部５７から立ち上がる立ち上がり片６３と、該立ち上がり片６３の上端から前後方向に枝分かれするように断面略Ｖ字状に形成された支持片６４と、を備えている。つまり、ケース体３にスクリーン保持部材５５を取り付けると、ケース体３の開口部１４を閉塞することができるとともに支持片６４でスクリーン４を支持することができ、作業者がスクリーン４を手で保持しなくてもスクリーン４がケース体３から落下することを防止できる。なお、底板部５７と支持部材６２とは一体であっても別体であってもよい。別体の場合は、底板部５７と支持部材６２とをネジなどの固定具で連結してもよいし、溶接で連結してもよい。また、支持部材６２は底板部５７の幅方向全長に配設してもよい。
【００４４】
なお、スクリーン保持部材５５は、作業終了後に取り外す。その際、スクリーン保持部材５５の前方立ち上がり片５８および後方立ち上がり片５９を互いに近接する方向に力をかけることによりスクリーン保持部材５５が撓み、結果として、ケース体３から前方フランジ片６０および後方フランジ片６１の少なくともいずれか一方の係合状態が解除されて、取り外すことができる。
【００４５】
なお、図１０に示すように、スクリーン保持部材６５は、ケース体３の幅方向全長に形成されている必要はなく、開口部１４の一部を閉塞する棒状の部材であってもよい。スクリーン保持部材６５の断面形状は、スクリーン保持部材５５と略同一の形状である。またスクリーン保持部材６５は、開口部１４の複数箇所（軸方向に所定距離離間した２カ所以上）に取り付けることにより、作業中にスクリーン４が落下するのを防止することができる。
【００４６】
次に、電動スクリーン装置１において電動ユニット５を交換する際の交換方法について説明する。
【００４７】
電動ユニット５が故障したときは、電動ユニット５を取り外して交換する。交換する際は、上記スクリーン保持部材５５（６５）を用いて交換することにより、電動ユニット５の交換作業中にスクリーン４を作業員が保持しておく必要がなくなり、交換作業の効率が向上する。電動ユニット５の電池を交換する際にも同様の作業で一旦電動ユニット５を取り外して電池交換することができる。なお、電池交換は、電池の収容部を電動ユニット５の外面側に配置することで、電動ユニット５を取り外すことなく、外側部材３３のみを外して電池交換できるようにしてもよい。
【００４８】
本実施形態において電動ユニット５をケース体３から取り外すには、まず、外側部材３３を内側部材３２から取り外す。その後、内側部材３２側からケース体３に固定されているビスなどの固定具（ビス孔１３に取り付けられている固定具）を取り外すことで、内側部材３２をケース体３から取り外すことができる。電動ユニット５を交換したら、上述した方法と逆の手順にて新たな電動ユニット５をケース体３に容易に取り付けることができる。
【００４９】
次に、手動スクリーン装置を電動化する際の施工方法について説明する。図１１に手動スクリーン装置７１を示す。
【００５０】
まず、既設の手動スクリーン装置７１の軸方向一端側のサイドカバー７２を取り外す。次に、サイドカバー７２の代わりに電動ユニット５を取り付ける。サイドカバー７２とケース体３との係合方法と同じ方法で電動ユニット５を係合できるように加工しておけば、容易にサイドカバー７２を電動ユニット５に取り換えることができる。このようにすることで、手動だったスクリーン装置を容易に電動スクリーン装置１に更新することができる。このときもスクリーン保持部材５５（６５）を用いて作業を行うことができる。また、従来のサイドカバー７２よりも電動ユニット５は厚みがある（軸方向に沿う方向の厚さ）ため、軸方向他端部側のサイドカバーを、電動ユニット５と略同じ厚さのサイドカバー６に付け替えることにより、意匠性も確保することができる。
【００５１】
なお、図１１に示すように、既設の手動スクリーン装置７１において、サイドカバー７２の外表面７２ａに巻き取り速度調整用ネジ７３が露出して設けられているものがある。このような場合、軸嵌合部材の先端形状を巻き取り速度調整用ネジ７３のネジ穴と嵌合する形状に加工することにより、サイドカバー７２を外すことなく、サイドカバー７２を覆うように電動ユニット５を取り付けるだけで電動化することができる。
【００５２】
本実施形態に係る電動スクリーン装置１によれば、壁面２に支持固定されるケース体３と、該ケース体３に収容され、軸中心に回転することで繰り出し／巻き取り可能に構成されたスクリーン４と、該スクリーンの軸方向一端部に設けられ、軸部材１５を電動で回転駆動させる電動ユニット５と、を備え、電動ユニット５が、ケース体３およびスクリーン４に対して着脱自在に設けられているため、電動ユニット５が故障したとしても電動ユニット５だけ取り外すことができる。したがって、容易にメンテナンスを行うことができる。
【００５３】
また、電動ユニット５が、軸部材１５に嵌合可能な軸嵌合部材２１と、該軸嵌合部材２１を回転駆動させる駆動部２２と、該駆動部２２に電力を供給する電源部と、軸嵌合部材２１、駆動部２２、および電源部を収容するカバー部材２４と、を備えてユニット部材として構成されているため、取り扱いが容易である。また、既存の手動スクリーン装置７１を電動化したい場合、手動スクリーン装置７１の軸方向一端部に配設されているサイドカバー７２を取り外して、電動ユニット５に交換するだけで電動スクリーン装置１に更新することができる。
【００５４】
また、電源部が電池で構成されているため、配線工事などの電気工事が不要となり、電動スクリーン装置１自体の設置工事やメンテナンスを簡易に行うことができる。
【００５５】
以上、本発明の実施形態について図面を参照して詳述したが、具体的な構成はこの実施形態に限られるものではなく、本発明の要旨を逸脱しない範囲の設計変更等も含まれる。また、上述の実施形態及び各変形例において示した構成要素は適宜に組み合わせて構成することが可能である。
【００５６】
例えば、上記実施形態において、電源部を電池で構成した場合の説明をしたが、電池以外に小型の太陽光パネルを取り付けて駆動できるように構成してもよい。
【００５７】
また、電動ユニット５とケース体３との支持固定方法は上記実施形態の構成に限らない。例えば、ケース体３に対して電動ユニット５が係合できるように係合爪を形成してもよい。
【００５８】
また、上記実施形態では、駆動部２２が正逆回転可能なモーターで構成されている場合の説明をしたが、電動ユニット５として正回転用と逆回転用の２つのユニットを用意し、軸方向両端部にそれぞれの用途の電動ユニット５を取り付けるようにしてもよい。このように構成することで、駆動部２２の構成を簡略化でき、ひとつの電動ユニット５の大きさ（軸方向の厚さ）を小型化（薄型化）することができる。
【００５９】
さらに、上記実施形態では、シート材１６を最下端まで繰り出した状態で案内部材１８を保持する保持部材７を設けた説明をしたが、シート材１６が繰り出し／巻き取り中にも風に煽られるのを防止するため、案内部材１８の両端部を上下方向全長に亘って保持する保持案内部材を取り付けてもよい。このような保持案内部材を採用した場合、シート材１６を開口部９の途中まで下げた状態であっても、シート材１６が風に煽られず、その状態を保持することができる。
【００６０】
そして、上記実施形態では、シート材１６を最下端まで繰り出した状態で案内部材１８を保持する保持部材７を設けた説明をしたが、保持部材７の内部に磁石を配設し、スクリーン４の金属製の案内部材１８を磁力で保持するようにしてもよい。
【符号の説明】
【００６１】
２  壁面（設置対象物）
３  ケース体
４  スクリーン
５  電動ユニット
１５  軸部材（軸）
２１  軸嵌合部材
２２  駆動部
２４  カバー部材
【図１】
2020156869.tif 000003
【図２】
2020156869.tif 000004
【図３】
2020156869.tif 000005
【図４】
2020156869.tif 000006
【図５】
2020156869.tif 000007
【図６】
2020156869.tif 000008
【図７】
2020156869.tif 000009
【図８】
2020156869.tif 000010
【図９】
2020156869.tif 000011
【図１０】
2020156869.tif 000012
【図１１】
2020156869.tif 000013